(57)【要約】【課題】  金属箔成形体のスライド自在の縁巻に対して、確実にストッパー機能を発揮でき、繰り返しスライドさせてもストッパー機能が安定して維持される縁巻係合構造を提供する。【解決手段】  縁巻係合構造は、図の（１）のように縁巻２３とその内部に挿入された縁巻２４とから構成されている。縁巻２３は、第１縁巻部３１と切欠部２８と第２縁巻部３２とからなり、縁巻２４は、第１縁巻部３１の内部に収納された第３縁巻部３３と、第１切欠部２８の内部に収納された第２切欠部２９と、その一部が第２縁巻部の内部に収納された第４縁巻部とからなる。第３縁巻部３３の径は、第１縁巻部３１の径より大きく設定されているため、図の（２）のように縁巻２３及び縁巻２４を縮める方向には摺動自在であるが、引き伸ばすと図の（３）のように第１縁巻部３１の端部４５と第３縁巻部３３の端部４６とが軸方向において交差状態で当接し、ストッパー機能を発揮する。【選択図】        図５
2006161938.tif 000002
【特許請求の範囲】
【請求項１】
金属箔成形体よりなる第１の分割体の側縁に形成された第１の縁巻に、金属箔成形体よりなる第２の分割体の側縁に形成された第２の縁巻を摺動自在に挿入する縁巻係合構造であって、
前記第１の縁巻は、
第１縁巻部と、前記第１縁巻部に接続され、その外周壁の一部にその軸方向の全体に渡る第１の切欠が形成された第１切欠部と、前記第１切欠部に接続され、前記第１縁巻部より大きな径を有する第２縁巻部とからなり、
前記第２の縁巻は、
前記第２縁巻部の内部に収納され、前記第１縁巻部より大きな径を有する第３縁巻部と、前記第３縁巻部に接続されると共に前記第１切欠部の内部に収納され、前記第１切欠部の前記一部と対応する部分に第２の切欠が形成された第２切欠部と、前記第２切欠部に接続され、前記第１縁巻部の内部に収納される第４縁巻部とからなる、縁巻係合構造。
【請求項２】
前記第１の縁巻において、前記第１縁巻部の前記第１切欠部側の少なくとも一部と、前記第１切欠部と、前記第２縁巻部の前記第１切欠部側の少なくとも一部とからなる部分が、前記第１縁巻部側が先細りとなるテーパー形状に形成され、
前記第２の縁巻において、前記第３縁巻部の前記第２切欠部側の少なくとも一部と、前記第２切欠部と、前記第４縁巻部の前記第２切欠部側の少なくとも一部とからなる部分が、前記第１の縁巻と対応するテーパー形状に形成される、請求項１記載の縁巻係合構造。
【請求項３】
前記第３縁巻部の軸中心は、前記第１縁巻部の軸中心より、前記第１の切欠側に位置する、請求項１または請求項２記載の縁巻係合構造。
【請求項４】
前記第２切欠部には、その周方向に巻き込まれた端部まで前記第２の切欠が形成される、請求項１から請求項３のいずれかに記載の縁巻係合構造。
【請求項５】
前記第１切欠部及び前記第２切欠部は、各々に形成された前記第１の切欠及び前記第２の切欠から各々の内部が露出するように形成される、請求項１から請求項４のいずれかに記載の縁巻係合構造。
【請求項６】
前記第１切欠部の軸方向の長さは、前記第３縁巻部の軸方向の長さより大きく設定される、請求項１から請求項５のいずれかに記載の縁巻係合構造。
【請求項７】
第１の分割体の側縁に形成された第１の縁巻に、第２の分割体の側縁に形成された第２の縁巻を摺動自在に挿入する縁巻係合構造の製造方法であって、
前記第１の分割体を構成するための金属箔よりなる第１シートの一方面に、前記第２の分割体を構成するための金属箔よりなる第２シートの一部を重ね合わせる第１工程と、
前記重ねられた部分における前記第１シート及び前記第２シートに対して、各々の重ね合わせ方向の端部より内方側の部分に切欠を形成すると共に、前記第１シート及び前記第２シートの各々の外方側の端縁を揃える第２工程と、
前記重ね合わされた状態で、前記揃えられた端縁から所定範囲を巻き込むようにして、一定径の第１の縁巻部を前記第１シートのみの部分に対して形成し、前記第１の縁巻部より小さな径の第２の縁巻部を前記第２シートのみの部分に対して形成し、前記第１の縁巻部と前記第２の縁巻部とにその両端が接続され、前記切欠の前記第１の縁巻部側の一方端部における径が、前記切欠の前記第２の縁巻部側の他方端部の径より大きな第３の縁巻部を、前記重ねられた部分に対して形成する第３工程とを備えた、縁巻係合構造の製造方法。
【請求項８】
前記第３の縁巻部は、前記第２の縁巻部側が先細りとなるテーパー形状に形成される、請求項７記載の縁巻係合構造の製造方法。
【請求項９】
前記第３の縁巻部は、前記切欠の前記一方端部における巻き中心が、前記他方端部における巻き中心より、前記切欠側に位置するように形成される、請求項７または請求項８記載の縁巻係合構造の製造方法。
【発明の詳細な説明】
【技術分野】
【０００１】
この発明は縁巻係合構造及びその製造方法に関し、特にレンジフード用フィルターカバー等のプレス成形により形成される金属箔成形体の縁巻係合構造及びその製造方法に関するものである。
【背景技術】
【０００２】
図１０は、従来の縁巻係合構造を備えたレンジフード用フィルターカバーの概略構成を示した斜視図である。
【０００３】
図を参照して、レンジフード用フィルターカバー７０は、アルミニウム箔のプレス成形により形成された第１の分割体７１と第２の分割体７２とから構成されている。第１の分割体７１には、その外周部分に縁巻８１ａ〜８１ｃが形成され、第２の分割体７２には、その外周部分に縁巻８２ａ〜８２ｃが形成されている。また、第１の分割体７１及び第２の分割体７２の各々の中央部には、例えば不織布からなるフィルター７３ａ及び７３ｂが取り付けられている。
【０００４】
そして、これらの第１の分割体７１と第２の分割体７２とは、縁巻８１ａ及び８１ｃの各々と縁巻８２ａ及び８２ｃの各々とが摺動自在に係合した状態で組み合わされている。そのため、レンジフード用フィルターカバー７０は、取り付けられるレンジフードの大きさに応じて、その長手方向に伸縮自在である。
【０００５】
尚、第１の分割体７１の縁巻８１ｂ及び第２の分割体７２の縁巻８２ｂの各々には、磁石とヨークとを含む取付具７４ａ及び７４ｂが取り付けられているが、これらはレンジフード用フィルターカバー７０をレンジフードに固定するためのものである。
【０００６】
図１１は、図１０で示した”Ｚ”部分の拡大図であり、図１２は、図１１で示したＸＩＩ−ＸＩＩラインの断面図である。
【０００７】
これらの図を参照して、第１の分割体７１の縁巻８１ａは、その端部側の第１ストレート部７７と、その一方端部が第１ストレート部７７に接続され、第１ストレート部７７の側へと先細りのテーパー形状を有するテーパー部７６と、テーパー部７６の他方端部に接続され、第１ストレート部７７より大きな径を有する第２ストレート部７５とから構成されている。一方、第２の分割体７２の縁巻８２ａは、縁巻８１ａのテーパー部７６の内部に収納され、テーパー部７６に対応するテーパー形状を有するテーパー部７９と、テーパー部７９に接続されると共に、第１ストレート部７７の内部に摺動自在に収納されたストレート部７８とから構成されている。
【０００８】
更に、図１２に示されるように、縁巻８１ａの第１ストレート部７７の端部は、内方側に折り返されて、折返し片８４が形成され、縁巻８２ａのテーパー部７９の端部は、外方側に折り返されて、折返し片８３が形成されている。
【０００９】
このように縁巻８１ａ及び縁巻８２ａが形成されているため、縁巻８２ａは、縁巻８１ａに対して図１２の実線で示した位置から二点鎖線で示した方向には移動自在であるが、矢印で示した方向へは、実線で示した位置においてテーパー部７９がテーパー部７６に接触することによって、その移動が停止する。
【００１０】
また、縁巻８２ａが図１２の実線で示した位置にある状態から、縁巻８２ａのテーパー部７９が変形する程度まで更に縁巻８２ａを矢印の方向へ移動させた場合には、テーパー部７９の折返し片８３の端部と第１ストレート部７７の折返し片８４の端部とが当接するため、縁巻８２ａの縁巻８１ａからの抜け出しが防止されている。
【００１１】
以上のように、従来の縁巻係合構造においては、テーパー部７６及びテーパー部７９と、折返し片８３及び折返し片８４とが、縁巻８１ａ及び縁巻８２ａに対するストッパー機能を発揮していた。
【発明の開示】
【発明が解決しようとする課題】
【００１２】
上記のような従来の縁巻係合構造では、金属箔の厚みが薄くなると、スライドさせるたびに縁巻の径が崩れてしまうため、テーパー同志によるストッパー効果が失われやすいという問題があった。
【００１３】
また、金属箔の厚みが薄い場合には、折返し片の厚みも同様に薄くなるため、一旦縁巻の径が崩れてしまうと、折返し片もまたストッパーとして殆ど寄与しなくなる虞もあった。
【００１４】
この発明は、上記のような課題を解決するためになされたものであり、金属箔成形体のスライド自在の縁巻に対して、確実にストッパー機能を発揮でき、繰り返しスライドさせてもストッパー機能が安定して維持される縁巻係合構造を提供することを目的とする。
【課題を解決するための手段】
【００１５】
上記の目的を達成するために、請求項１記載の発明は、金属箔成形体よりなる第１の分割体の側縁に形成された第１の縁巻に、金属箔成形体よりなる第２の分割体の側縁に形成された第２の縁巻を摺動自在に挿入する縁巻係合構造であって、第１の縁巻は、第１縁巻部と、第１縁巻部に接続され、その外周壁の一部にその軸方向の全体に渡る第１の切欠が形成された第１切欠部と、第１切欠部に接続され、第１縁巻部より大きな径を有する第２縁巻部とからなり、第２の縁巻は、第２縁巻部の内部に収納され、第１縁巻部より大きな径を有する第３縁巻部と、第３縁巻部に接続されると共に第１切欠部の内部に収納され、第１切欠部の一部と対応する部分に第２の切欠が形成された第２切欠部と、第２切欠部に接続され、第１縁巻部の内部に収納される第４縁巻部とからなるものである。
【００１６】
このように構成すると、第１の縁巻の第２縁巻部と、第２の縁巻の第４縁巻部とを互いに引き離すように移動させると、第１縁巻部の第１の切欠側の端部と、第３縁巻部の第２の切欠側の端部とが交差した状態で当接する。
【００１７】
請求項２記載の発明は、請求項１記載の発明の構成において、第１の縁巻において、第１縁巻部の第１切欠部側の少なくとも一部と、第１切欠部と、第２縁巻部の第１切欠部側の少なくとも一部とからなる部分が、第１縁巻部側が先細りとなるテーパー形状に形成され、第２の縁巻において、第３縁巻部の第２切欠部側の少なくとも一部と、第２切欠部と、第４縁巻部の第２切欠部側の少なくとも一部とからなる部分が、第１の縁巻と対応するテーパー形状に形成されるものである。
【００１８】
このように構成すると、テーパーによって、第１縁巻部の第１の切欠側の端部と、第３縁巻部の第２の切欠側の端部との径の差が生じる。
【００１９】
請求項３記載の発明は、請求項１または請求項２記載の発明の構成において、第３縁巻部の軸中心は、第１縁巻部の軸中心より、第１の切欠側に位置するものである。
【００２０】
このように構成すると、第１縁巻部の第１の切欠側の端部と、第３縁巻部の第２の切欠側の端部との位置のずれが大きくなる。
【００２１】
請求項４記載の発明は、請求項１から請求項３のいずれかに記載の発明の構成において、第２切欠部には、その周方向に巻き込まれた端部まで第２の切欠が形成されるものである。
【００２２】
このように構成すると、第３縁巻部の移動時において、第２切欠部による第３縁巻部に対する巻き方向への拘束が解消する。
【００２３】
請求項５記載の発明は、請求項１から請求項４のいずれかに記載の発明の構成において、第１切欠部及び第２切欠部は、各々に形成された第１の切欠及び第２の切欠から各々の内部が露出するように形成されるものである。
【００２４】
このように構成すると、第３縁巻部の第１切欠部からの突出が外方側から妨げられなくなる。
【００２５】
請求項６記載の発明は、請求項１から請求項５のいずれかに記載の発明の構成において、第１切欠部の軸方向の長さは、第３縁巻部の軸方向の長さより大きく設定されるものである。
【００２６】
このように構成すると、第３縁巻部の移動時において、第３縁巻部の軸方向の全体が第１の切欠から外方に突出して、第２縁巻部による第３縁巻部に対する巻き方向への拘束が解消する。
【００２７】
請求項７記載の発明は、第１の分割体の側縁に形成された第１の縁巻に、第２の分割体の側縁に形成された第２の縁巻を摺動自在に挿入する縁巻係合構造の製造方法であって、第１の分割体を構成するための金属箔よりなる第１シートの一方面に、第２の分割体を構成するための金属箔よりなる第２シートの一部を重ね合わせる第１工程と、重ねられた部分における第１シート及び第２シートに対して、各々の重ね合わせ方向の端部より内方側の部分に切欠を形成すると共に、第１シート及び第２シートの各々の外方側の端縁を揃える第２工程と、重ね合わされた状態で、揃えられた端縁から所定範囲を巻き込むようにして、一定径の第１の縁巻部を第１シートのみの部分に対して形成し、第１の縁巻部より小さな径の第２の縁巻部を第２シートのみの部分に対して形成し、第１の縁巻部と第２の縁巻部とにその両端が接続され、切欠の第１の縁巻部側の一方端部における径が、切欠の第２の縁巻部側の他方端部の径より大きな第３の縁巻部を、重ねられた部分に対して形成する第３工程とを備えたものである。
【００２８】
このように構成すると、重ねた状態の第１シート及び第２シートに切欠を形成して巻き込むだけで、所定の関係の第１の縁巻部、第２の縁巻部及び第３の縁巻部が一体的に形成される。
【００２９】
請求項８記載の発明は、請求項７記載の発明の構成において、第３の縁巻部は、第２の縁巻部側が先細りとなるテーパー形状に形成されるものである。
【００３０】
このように構成すると、テーパー形状に形成することによって切欠の一方端部における径と他方端部における径との差がスムーズに生じる。
【００３１】
請求項９記載の発明は、請求項７または請求項８記載の発明の構成において、第３の縁巻部は、切欠の一方端部における巻き中心が、他方端部における巻き中心より、切欠側に位置するように形成されるものである。
【００３２】
このように構成すると、切欠の一方端部における径と他方端部における径との差が大きな縁巻係合構造が形成できる。
【発明の効果】
【００３３】
以上説明したように、請求項１記載の発明は、第１の縁巻の第２縁巻部と、第２の縁巻の第４縁巻部とを互いに引き離すように移動させると、第１縁巻部の第１の切欠側の端部と、第３縁巻部の第２の切欠側の端部とが交差した状態で当接するため、第１の縁巻及び第２の縁巻の移動を確実に停止させることが可能となる。また、第１縁巻部の一部と第３縁巻部の一部との交差によって移動を停止させるため、第１の縁巻及び第２の縁巻の径が崩れても安定してストッパー機能が維持される。
【００３４】
請求項２記載の発明は、請求項１記載の発明の効果に加えて、テーパーによって、第１縁巻部の第１の切欠側の端部と、第３縁巻部の第２の切欠側の端部との径の差が生じるため、ストッパー機能を有する第１の縁巻及び第２の縁巻を効率的に形成することができる。また、テーパーによって連続的に径が変化するため、見た目にもすっきりした状態となる。
【００３５】
請求項３記載の発明は、請求項１または請求項２記載の発明の効果に加えて、第１縁巻部の第１の切欠側の端部と、第３縁巻部の第２の切欠側の端部との位置のずれが大きくなるため、第１縁巻部と第３縁巻部とが当接しやすくなり、ストッパー機能がより確実となる。
【００３６】
請求項４記載の発明は、請求項１から請求項３のいずれかに記載の発明の効果に加えて、第３縁巻部の移動時において、第２切欠部による第３縁巻部に対する巻き方向への拘束が解消するため、第３縁巻部は第１の切欠からより確実に突出して第１縁巻部と交差するので、ストッパー機能が安定する。
【００３７】
請求項５記載の発明は、請求項１から請求項４のいずれかに記載の発明の効果に加えて、第３縁巻部の第１切欠部からの突出が外方側から妨げられなくなるため、第３縁巻部の第２の切欠側の端部と、第１縁巻部の第１の切欠側の端部との径の差が効率的に発揮され、ストッパー機能が更に安定する。
【００３８】
請求項６記載の発明は、請求項１から請求項５のいずれかに記載の発明の効果に加えて、第３縁巻部の移動時において、第３縁巻部の軸方向の全体が第１の切欠から外方に突出して、第２縁巻部による第３縁巻部に対する巻き方向への拘束が解消するため、第１縁巻部と第３縁巻部とがより交差しやすくなり、ストッパー機能が更に安定する。
【００３９】
請求項７記載の発明は、重ねた状態の第１シート及び第２シートに切欠を形成して巻き込むだけで、所定の関係の第１の縁巻部、第２の縁巻部及び第３の縁巻部が一体的に形成されるため、効率的な且つ信頼性の高い縁巻係合構造の製造方法となる。
【００４０】
請求項８記載の発明は、請求項７記載の発明の効果に加えて、テーパー形状に形成することによって切欠の一方端部における径と他方端部における径との差がスムーズに生じるため、ストッパー機能を有する縁巻係合構造を容易に製造することが可能となる。
【００４１】
請求項９記載の発明は、請求項７または請求項８記載の発明の効果に加えて、切欠の一方端部における径と他方端部における径との差が大きな縁巻係合構造が形成できるため、第１の縁巻の切欠の一方端部と、第２の縁巻の切欠の他方端部とが当接しやすく、ストッパー機能がより確実に発揮される縁巻係合構造を製造することが可能となる。
【発明を実施するための最良の形態】
【００４２】
図１は、この発明の第１の実施の形態による縁巻係合構造を備えたレンジフード用フィルターカバーの概略構成を示した斜視図である。
【００４３】
図を参照して、レンジフード用フィルターカバー１５は、油汚れ等の付着を防止するために、レンジフードの金属フィルターに取り付けて使用されるものであり、例えばアルミニウム箔のプレス成形により形成された第１の分割体１６と第２の分割体１７とから構成されている。第１の分割体１６の側縁部分には縁巻２３ａ〜２３ｃが形成され、第２の分割体１７の側縁部分には縁巻２４ａ〜２４ｃが形成されている。これらの第１の分割体１６及び第２の分割体１７の各々の中央部分には、例えば不織布からなるフィルター２０ａ及び２０ｂがそれぞれ取り付けられている。また、第１の分割体１６の縁巻２３ｂと、第２の分割体１７の縁巻２４ｂとには、磁石とヨークとを含む取付具２６ａ及び２６ｂがそれぞれ取り付けられているが、これらの取付具２６ａ及び２６ｂはレンジフード用フィルターカバー１５をレンジフード等の金属面に取り付けるためのものである。
【００４４】
そして、第１の分割体１６と第２の分割体１７とは、縁巻２３ａ及び２３ｃの各々に、縁巻２４ａ及び２４ｃの各々を摺動自在に挿入した状態で組み合わされているが、この縁巻同志の係合構造が従来例で示したものとは大きく異なっているので、この点を以下に説明する。
【００４５】
図２は、図１で示した”Ｙ”部分の拡大図であり、図３は、図２で示したＩＩＩ−ＩＩＩラインの断面図であり、図４は、図２で示したＩＶ−ＩＶラインの端面図である。
【００４６】
これらの図を参照して、第１の分割体１６の縁巻２３ａは、第１縁巻部３１と、その一方端が第１縁巻部３１に接続され、その外周壁の一部にその軸方向の全体に渡る切欠３５が形成された第１切欠部２８と、第１切欠部２８の他方端に接続され、第１縁巻部３１より大きな径を有する第２縁巻部３２とから構成されている。尚、この切欠３５は、第１切欠部２８の周方向に巻き込まれた端部まで形成されている。また、この実施の形態においては、第１縁巻部３１と、第１切欠部２８と、第２縁巻部３２の第１切欠部２８側の一部とからなる部分が、第１縁巻部３１側に向かって（図２及び図３において左方向）先細りのテーパー形状に形成されている。
【００４７】
一方、縁巻２４ａは、第２縁巻部３２の内部に収納され、第１縁巻部３１より大きな径を有する第３縁巻部３３と、第３縁巻部３３に接続されると共に第１切欠部２８の内部に収納され、切欠３５と対応する部分に切欠３６が形成された第２切欠部２９と、第２切欠部２９に接続され、第１縁巻部３１の内部にその一部が収納される第４縁巻部３４とから構成されている。この切欠３６もまた、切欠３５と同様に、第２切欠部２９の周方向に巻き込まれた端部まで形成されている。そして、第３縁巻部３３、と第２切欠部２９と、第４縁巻部３４の第２切欠部２９側の一部とからなる部分が、縁巻２３ａと対応するテーパー形状に形成されている。
【００４８】
また、この実施の形態では特に、第１切欠部２８の軸方向の長さは、第３縁巻部３３の軸方向の長さより大きくなるように設定されている。
【００４９】
図５は、この発明の第１の実施の形態による縁巻係合構造の動作を模式的に示した斜視図であり、図６は、図５で示した各状態を模式的に示した正面図である。
【００５０】
まず、図５の（１）及び図６の（１）は、プレス成形直後の縁巻２３ａ及び２４ａの係合状態を示したものである。この状態においては、縁巻２３ａの第１縁巻部３１、第１切欠部２８及び第２縁巻部３２の各々の内部に、縁巻２４ａの第３縁巻部３３、第２切欠部２９及び第４縁巻部３４の各々が収納されている。ここで、縁巻２３ａの第２縁巻部３２における一定径の部分の径をＲ１とする。
【００５１】
次に、この状態から縁巻２３ａ及び２４ａを互いに縮める方向（図５の（１）及び図６の（１）における矢印の方向）に移動させる。縁巻２４ａの第３縁巻部３３は、縁巻２３ａの第２縁巻部３２の内部に収納されているため、その最大径Ｒ２は第２縁巻部３２の径Ｒ１より小さくなるように形成されている。したがって、図５の（２）及び図６の（２）に示すように、縁巻２３ａ及び２４ａを互いに縮める方向については互いに摺動自在である。
【００５２】
次に、縁巻２３ａ及び２４ａを互いに引き伸ばす方向（図５の（２）及び図６の（２）における矢印の方向）に移動させる。すると、縁巻２３ａ及び２４ａは、図５の（１）及び図６の（１）に示したように、縁巻２３ａにおいて連続するテーパー形状に形成された第１縁巻部３１、第１切欠部２８及び第２縁巻部３２の内面の各々と、縁巻２３ａと対応するテーパー形状に形成された縁巻２４ａの第３縁巻部３３、第２切欠部２９及び第４縁巻部３４の外面とが当接した状態となる。このとき、縁巻２３ａ及び縁巻２４ａのテーパー形状の部分同志が当接することによって、縁巻２３ａ及び縁巻２４ａに対するストッパー機能が発揮される。
【００５３】
ただし、縁巻２３ａ及び縁巻２４ａは共にアルミニウム箔等の金属箔により形成されているため、縁巻２３ａ及び縁巻２４ａを引き伸ばす方向に更に大きな力を加えると、縁巻２３ａ及び２４ａはその径が崩れるように変形する。すると、第１縁巻部３１及び第２縁巻部３２の各々は第４縁巻部３４及び第３縁巻部３３の各々を通過して図における右方向に更に移動する。
【００５４】
このとき、第３縁巻部３３の径は第１縁巻部３１の径より大きく、且つ、第３の縁巻及び第１の縁巻は共にテーパー形状に形成されているため、第３縁巻部３３の切欠３６側の端部４６における径Ｒ３は、第１縁巻部３１の切欠３５側の端部４５における径Ｒ４より大きく設定されている。したがって、第１縁巻部３１の端部４５の一部と第３縁巻部３３の端部４６の一部とが、縁巻２３ａ及び縁巻２４ａの軸方向から見て交差した状態で当接し、縁巻２３ａ及び縁巻２４ａの引き伸ばす方向への摺動が停止する。
【００５５】
このように、第１縁巻部３１の端部４５と第３縁巻部３３の端部４６とが交差した状態で当接するため、縁巻２３ａ及び縁巻２４ａの移動を確実に停止させることが可能となる。また、第１縁巻部３１及び第３縁巻部３３の径の差は金属箔の厚みより十分大きく、第１縁巻部３１と第３縁巻部３３との交差によって移動を停止させるため、仮に縁巻２３ａ及び２４ａの径が崩れた場合でも安定してストッパー機能が維持されることになる。
【００５６】
また、この実施の形態においては、縁巻２３ａ及び縁巻２４ａの一部をテーパー形状に形成することによって、第１縁巻部３１の切欠３５側の端部４５と、第３縁巻部３３の切欠３６側の端部４６との径の差が生じるため、ストッパー機能を有する縁巻２３ａ及び縁巻２４ａの係合構造を効率的に形成することが可能となる。そして、テーパー形状によって連続的に径が変化するため、見た目にもすっきりした状態となる。
【００５７】
更に、切欠３６は、第２切欠部２９の周方向において、巻き込まれた端部まで形成されている。これにより、第３縁巻部３３が図５の（３）及び図６の（３）の状態に移動した状態において、第２切欠部２９による第３縁巻部３３の巻き方向への拘束が解消されることになる。更にこの実施の形態においては、第１切欠部２８の軸方向の長さ、すなわち、切欠３５の軸方向の長さは、第３縁巻部３３の軸方向の長さよりも大きくなるように設定されているため、第３縁巻部３３の移動時には、第２縁巻部３２による第３縁巻部３３に対する拘束も解消されている。したがって、第３縁巻部３３の軸方向の全体が、縁巻２４ａの切欠３５からより確実に外方に突出して第１縁巻部３１と交差することができるので、ストッパー機能をより安定して発揮することができる。
【００５８】
ここで、上記のようなストッパー機能を備えた縁巻係合構造の製造方法について説明する。
【００５９】
図７は、この発明の第１の実施の形態によるレンジフード用フィルターカバーの製造工程を模式的に示した図である。
【００６０】
まず、図７の（１）を参照して、第１の分割体を構成するための例えばアルミニウム箔よりなる第１シート３７と、第２の分割体を構成するための例えばアルミニウム箔よりなる第２シート３８とを準備し、第１シート３７の一方面（図では上面）に第２シート３８の一部を重ね合わせた状態とする。
【００６１】
次に、図７の（２）に示すように、第１シート３７及び第２シート３８の重ねられた部分において、第１シート３７及び第２シート３８の各々に対して、重ね合わせ方向（図における破線の矢印の方向）の端部４０及び端部４１より内方側の部分に、切欠５４及び切欠５５をそれぞれ形成すると共に、第１シート３７の外方側の端縁４７と第２シート３８の外方側の端縁４８とを揃えた状態とする。この実施の形態においては、切欠５４及び切欠５５は、揃えられた端縁４７及び端縁４８の部分まで第１シート３７及び第２シート３８を切欠いて形成されているが、重ねられた部分における端部４０及び端部４１より内方側の一部が切欠かれていれば、切欠５４及び切欠５５を窓状の開口として形成しても良い。
【００６２】
そして、重ね合わされた状態の第１シート３７及び第２シート３８に対して、揃えられた端縁４７及び端縁４８から二点鎖線で示した位置までの所定範囲の部分を巻き込むようにして縁巻加工を行う。このとき、図７の（３）に示すように、ほぼ一定径の第１の縁巻部５１を第１シート３７のみの部分に対して形成し、第１の縁巻部５１より小さなほぼ一定径を有する第２の縁巻部５２を第２シート３８のみの部分に対して形成し、第１の縁巻部５１と第２の縁巻部５２とにその両端が接続された第３の縁巻部５３を、第１シート３７及び第２シート３８が重ねられた部分に対して形成する。このとき、第３の縁巻部５３は、切欠５４及び切欠５５の第１の縁巻部５１側の端部４９における径の各々が、第２の縁巻部５２側の端部５０における径より大きくなるように形成される。尚、この実施の形態においては、第３の縁巻部５３を第２の縁巻部５２側（図における左方向）が先細りとなるテーパー形状に形成することによって、端部４９と端部５０との径の差が設定されている。
【００６３】
尚、上記のような工程で形成された切欠５４が縁巻２３ａの切欠３５に対応し、切欠５５が縁巻２４ａの切欠３６に対応する。そして、第３の縁巻部５３によって、縁巻２３ａの第１縁巻部３１と第１切欠部２８と第２縁巻部３２の一部とが形成されると共に、これらの内部に収納された縁巻２４ａの第３縁巻部３３と第２切欠部２９と第４縁巻部３４の一部とが係合状態で一体的に形成されている。
【００６４】
このように、重ね合わせた状態の第１シート３７及び第２シート３８に切欠５４及び切欠５５を形成して巻き込むだけで、所定の関係の第１の縁巻部５１、第２の縁巻部５２及び第３の縁巻部５３が一体的に形成されるため、効率的で信頼性の高い縁巻係合構造の製造方法となる。
【００６５】
また、切欠５４及び切欠５５を含む第３の縁巻部５３をテーパー形状に形成することによって、切欠５４及び切欠５５の端部４９における径と、端部５０における径との差がスムーズに生じることになるため、上述したようなストッパー機能を有する縁巻係合構造を容易に製造することが可能となる。
【００６６】
図８は、この発明の第２の実施の形態による縁巻係合構造の概略構成を模式的に示した斜視図である。
【００６７】
この実施の形態による縁巻係合構造の基本的な構成は、先の第１の実施の形態によるものと同様であり、第１縁巻部３１、第１切欠部２８及び第２縁巻部３２とからなる縁巻２３と、縁巻２３の内部に収納され、第３縁巻部３３、第２切欠部２９及び第４縁巻部３４とからなる縁巻２４とで構成されている。これらの各縁巻部同志の位置及び寸法の関係についても、先の第１の実施の形態によるものと同様に、第３縁巻部３３の切欠３６側の端部４６の径は、第１縁巻部３１の切欠３５側の端部４５の径より大きくなるように設定されている。
【００６８】
ただし、この実施の形態による縁巻２３及び縁巻２４の係合構造においては、縁巻２３の中心軸４２が縁巻２４の中心軸４３に対して切欠３５側に位置し、切欠３５と反対側の各々の外周壁部分（図における下方部分）がほぼ直線状に整列するように形成されている点が、先の第１の実施の形態とは異なっている。
【００６９】
図９は、この発明の第２の実施の形態による縁巻係合構造の動作を模式的に示した図である。
【００７０】
まず、図９の（１）を参照して、この図はプレス成形直後のおける縁巻２３及び縁巻２４の係合状態を示したものである。ここで、縁巻２３の第２縁巻部３２における一定径の部分の径をＲ１とする。
【００７１】
次に、図９の（２）を参照して、縁巻２４の第３縁巻部３３の最大径Ｒ２は、縁巻２３の第２縁巻部３２の径Ｒ１より小さく設定されているため、縁巻２３及び縁巻２４を縮める方向には、先の第１の実施の形態と同様に摺動自在である。
【００７２】
次に、図９の（２）の状態から縁巻２３及び縁巻２４を引き伸ばす方向に移動させると、図９の（１）に示したように、テーパー形状を有する縁巻２３の第１縁巻部３１、第１切欠部２８及び第２縁巻部３２の内面と、同様のテーパー形状を有する縁巻２４の第４縁巻部３４、第２切欠部２９及び第３縁巻部３３とが当接した状態となる。
【００７３】
このとき、縁巻２３及び縁巻２４のテーパー形状の部分同志が当接することによって、縁巻２３及び縁巻２４に対するストッパー機能が発揮されるが、縁巻２３及び縁巻２４は金属箔の成形体であるため、更に引き伸ばす方向へと大きな力を加えると縁巻２３及び縁巻２４は共に変形してその径が変化する。そのため、第１縁巻部３１及び第２縁巻部３２の各々は第４縁巻部３４及び第３縁巻部３３の各々を通過して、図における右方向に移動する。
【００７４】
この実施の形態においても、第３縁巻部３３の端部４６における径Ｒ３は、第１縁巻部３１の端部４５における径Ｒ４より大きく形成されているため、第１縁巻部３１の切欠３５側の端部４５と第３縁巻部３３の切欠３６側の端部４６とが、縁巻２３及び縁巻２４の軸方向から見て交差した状態で当接し、縁巻２３及び縁巻２４に対するストッパー機能を発揮する。
【００７５】
この実施の形態では、上述したように第２縁巻部３２の中心軸が第４縁巻部３４の中心軸より切欠３５側に偏心するように構成されているため、縁巻２３及び縁巻２４の両端部の径を先の第１の実施の形態と同じ寸法に設定しても、切欠３５側のテーパーの勾配はより大きくなる。したがって、第１縁巻部３１の端部４５と第３縁巻部３３の端部４６との位置のずれが大きくなるため、第１縁巻部３１及び第３縁巻部３３同志が交差状態で当接しやすくなり、ストッパー機能がより確実に発揮されることになる。
【００７６】
尚、この実施の形態による縁巻２３及び縁巻２４の係合構造についても、先の図７で示したものと同様のプレス成形工程によって製造することができる。この場合、プレス成形する際の金型によって、図９の（１）に示したように、切欠３５の一方端部側の第２縁巻部３２及びその内部の第３縁巻部３３の巻き中心を、他方端部側の第１縁巻部３１及びその内部の第４縁巻部３４の巻き中心より切欠３５側に位置するように設定することが可能である。このようにすると、第１縁巻部３１と第３縁巻部３３との実質的な径の差が大きな縁巻係合構造を形成できるため、第１縁巻部３１の端部４５と第３縁巻部３３の端部４６とが交差状態で当接しやすく、ストッパー機能をより確実に発揮する縁巻係合構造を製造することが可能となる。
【００７７】
尚、上記の各実施の形態では、アルミニウム箔のプレス成形品よりなり、２つの分割体より構成されるレンジフード用フィルターカバーの縁巻同志の係合構造に適用しているが、これ以外の金属箔成形体であっても、２以上の分割体の伸縮自在な縁巻係合構造に同様に適用できることは言うまでもない。
【００７８】
また、上記の各実施の形態では、直線状に伸びる縁巻同志の係合構造に適用しているが、曲線状に伸びる縁巻同志の係合構造に適用しても良い。
【００７９】
更に、上記の各実施の形態では、第１の分割体及び第２の分割体における平行な一対の縁巻同志の係合構造に適用しているが、単一の縁巻同志の係合構造にも同様に適用できることは言うまでもない。
【００８０】
更に、上記の各実施の形態では、切欠は矩形形状に形成されているが、必ずしも矩形形状に限られるものではなく、第１縁巻部の端部の一部と第３縁巻部の端部の一部とが交差状態で当接できれば、切欠を他の形状に形成しても良い。
【００８１】
更に、上記の各実施の形態では、切欠を含む部分をテーパー形状に形成しているが、必ずしもテーパー形状に形成する必要はなく、第３縁巻部の最小径が第１縁巻部の切欠側の径より大きくなるように形成されていれば良い。
【００８２】
更に、上記の各実施の形態では、第１切欠部及び第２切欠部はいずれも、周方向に巻き込まれた端部まで至る切欠が形成されているが、必ずしもこのように周方向の端部まで切欠を形成する必要はなく、窓状の開口によって外周壁の一部に切欠を形成しても良い。また、少なくとも第２切欠部に対してのみ、周方向の端部まで至る切欠を形成しておけば、第２切欠部による第３縁巻部に対する移動時の拘束が解消するため、ストッパー機能がより向上する。
【００８３】
更に、上記の各実施の形態では、第１切欠部の軸方向の長さが第３縁巻部の軸方向の長さより大きくなるように形成されているが、第３縁巻部の長さを第１切欠部の長さより大きく設定しても良い。この場合でも、第１縁巻部の端部と第３縁巻部の端部とが軸方向から見て交差状態で当接することができるので、ほぼ同様のストッパー機能を発揮する。
【００８４】
更に、上記の各実施の形態において、縁巻の各々の端部に従来例で示したような折返し片を設けても良い。
【００８５】
更に、上記の第１の実施の形態では、第１切欠部及び第２切欠部は、各々に形成された切欠が内部に巻き込まれるように形成されているが、切欠の各々から第１切欠部及び第２切欠部の内部が露出するように、すなわち、第１切欠部の切欠の外方に空間が生じるように巻き込み量を設定しても良い。例えば、各縁巻を模式的に示した図５のように形成しても良い。このように構成すると、第１切欠部の外方に空間があることによって、第３縁巻部の移動時に第１切欠部の切欠からの突出動作が阻止されないため、第１縁巻部と第３縁巻部との径の差が効率よく発揮され、ストッパー機能を更に安定して発揮させることが可能となる。
【図面の簡単な説明】
【００８６】
【図１】この発明の第１の実施の形態による縁巻係合構造を備えたレンジフード用フィルターカバーの概略構成を示した斜視図である。
【図２】図１で示した”Ｙ”部分の拡大図である。
【図３】図２で示したＩＩＩ−ＩＩＩラインの断面図である。
【図４】図２で示したＩＶ−ＩＶラインの端面図である。
【図５】この発明の第１の実施の形態による縁巻係合構造の動作を模式的に示した斜視図である。
【図６】図５で示した各状態を模式的に示した正面図である。
【図７】この発明の第１の実施の形態によるレンジフード用フィルターカバーの製造工程を模式的に示した図である。
【図８】この発明の第２の実施の形態による縁巻係合構造の概略構成を模式的に示した斜視図である。
【図９】この発明の第２の実施の形態による縁巻係合構造の動作を模式的に示した図である。
【図１０】従来の縁巻係合構造を備えたレンジフード用フィルターカバーの概略構成を示した斜視図である。
【図１１】図１０で示した”Ｚ”部分の拡大図である。
【図１２】図１１で示したＸＩＩ−ＸＩＩラインの断面図である。
【符号の説明】
【００８７】
１５…レンジフード用フィルターカバー
１６…第１の分割体
１７…第２の分割体
２３、２４…縁巻
２８…第１切欠部
２９…第２切欠部
３１…第１縁巻部
３２…第２縁巻部
３３…第３縁巻部
３４…第４縁巻部
３５、３６、５４、５５…切欠
３７…第１シート
３８…第２シート
４０、４１、４５、４６、４９、５０…端部
４２、４３…中心軸
４７、４８…端縁
５１…第１の縁巻部
５２…第２の縁巻部
５３…第３の縁巻部
尚、各図中同一符号は同一または相当部分を示す。
【図１】
2006161938.tif 000003
【図２】
2006161938.tif 000004
【図３】
2006161938.tif 000005
【図４】
2006161938.tif 000006
【図５】
2006161938.tif 000007
【図６】
2006161938.tif 000008
【図７】
2006161938.tif 000009
【図８】
2006161938.tif 000010
【図９】
2006161938.tif 000011
【図１０】
2006161938.tif 000012
【図１１】
2006161938.tif 000013
【図１２】
2006161938.tif 000014